【手続補正書】
【提出日】平成18年11月22日(2006.11.22)
【手続補正１】
【補正対象書類名】明細書
【補正対象項目名】特許請求の範囲
【補正方法】変更
【補正の内容】
【特許請求の範囲】
【請求項１】  上位装置から印刷データを並行して入力可能とするための複数の入力手段を有する印刷制御装置であって、
各入力手段から入力される各印刷データをジョブ単位に記憶する記憶手段と、
入力される印刷データを解析して印刷部が印刷可能な出力データを生成する解析手段と、
各入力手段を介して入力される各印刷データの入力時に取得可能なジョブ制御情報に基づいて、前記記憶手段に前記印刷データが１印刷ジョブ分記憶されることを検知して前記解析手段による印刷データの解析開始を指示する第１の処理モードと、前記印刷データが入力されると同時に前記解析手段による該入力されている印刷データの解析開始を指示する第２の処理モードとを切替え設定する制御手段と、
を有することを特徴とする印刷制御装置。
【請求項２】  前記ジョブ制御情報は、コマンド部とパラメータ部とから構成されていることを特徴とする請求項１記載の印刷制御装置。
【請求項３】  前記パラメータ部は、各印刷ジョブのデータサイズ，ページ数，データの種類の少なくともいずれかを指定するデータが設定されることを特徴とする請求項２記載の印刷制御装置。
【請求項４】  前記制御手段は、前記ジョブ制御情報のパラメータ部中のデータの種類，ページ数，データ入力終了時間を判定し、該判定結果に基づいて前記第１の処理モードまたは前記第２の処理モードのいずれかを設定することを特徴とする請求項１記載の印刷制御装置。
【請求項５】  前記制御手段は、前記ジョブ制御情報のパラメータ部中のデータのページ数が１ページで、データの種類がイメージデータで、かつ、データの入力終了時間が所定時間以上であると判定した場合に、前記第２の処理モードを設定することを特徴とする請求項１記載の印刷制御装置。
【請求項６】  上位装置から印刷データを並行して入力可能とするための複数の入力手段を有する印刷制御装置における印刷制御方法であって、
各入力手段から入力される各印刷データをジョブ単位にメモリに記憶する記憶工程と、
入力される印刷データを解析して印刷部が印刷可能な出力データを生成する解析工程と、
各入力手段を介して入力される各印刷データの入力時に取得可能なジョブ制御情報に基づいて、前記メモリに前記印刷データが１印刷ジョブ分記憶されることを検知して前記解析工程による印刷データの解析開始を指示する第１の処理モードと、前記印刷データが入力されると同時に前記解析工程による該入力されている印刷データの解析開始を指示する第２の処理モードとを切替え設定する設定工程と、
を有することを特徴とする印刷制御方法。
【請求項７】  前記ジョブ制御情報は、コマンド部とパラメータ部とから構成されていることを特徴とする請求項６記載の印刷制御方法。
【請求項８】  前記パラメータ部は、各印刷ジョブのデータサイズ，ページ数，データの種類の少なくともいずれかを指定するデータが設定されることを特徴とする請求項７記載の印刷制御方法。
【請求項９】  前記設定工程は、前記ジョブ制御情報のパラメータ部中のデータの種類，ページ数，データ入力終了時間を判定し、該判定結果に基づいて前記第１の処理モードまたは前記第２の処理モードのいずれかを設定することを特徴とする請求項６記載の印刷制御方法。
【請求項１０】  前記設定工程は、前記ジョブ制御情報のパラメータ部中のデータのページ数が１ページで、データの種類がイメージデータで、かつ、データの入力終了時間が所定時間以上であると判定した場合に、前記第２の処理モードを設定することを特徴とする請求項６記載の印刷制御方法。
【請求項１１】  上位装置から印刷データを並行して入力可能とするための複数の入力手段を有する印刷制御装置に、
各入力手段から入力される各印刷データをジョブ単位にメモリに記憶する記憶工程と、
入力される印刷データを解析して印刷部が印刷可能な出力データを生成する解析工程と、
各入力手段を介して入力される各印刷データの入力時に取得可能なジョブ制御情報に基づいて、前記メモリに前記印刷データが１印刷ジョブ分記憶されることを検知して前記解析工程による印刷データの解析開始を指示する第１の処理モードと、前記印刷データが入力されると同時に前記解析工程による該入力されている印刷データの解析開始を指示する第２の処理モードとを切替え設定する設定工程と、
を実行させるためのプログラムを記録したコンピュータが読み取り可能な記憶媒体。
【請求項１２】  前記ジョブ制御情報は、コマンド部とパラメータ部とから構成されていることを特徴とする請求項１１記載の記憶媒体。
【請求項１３】  前記パラメータ部は、各印刷ジョブのデータサイズ，ページ数，データの種類の少なくともいずれかを指定するデータが設定されることを特徴とする請求項１２記載の記憶媒体。
【請求項１４】  前記設定工程は、前記ジョブ制御情報のパラメータ部中のデータの種類，ページ数，データ入力終了時間を判定し、該判定結果に基づいて前記第１の処理モードまたは前記第２の処理モードのいずれかを設定することを特徴とする請求項１１記載の記憶媒体。
【請求項１５】  前記設定工程は、前記ジョブ制御情報のパラメータ部中のデータのページ数が１ページで、データの種類がイメージデータで、かつ、データの入力終了時間が所定時間以上であると判定した場合に、前記第２の処理モードを設定することを特徴とする請求項１１記載の記憶媒体。
【手続補正２】
【補正対象書類名】明細書
【補正対象項目名】０００８
【補正方法】変更
【補正の内容】
【０００８】
本発明に係る第３の発明は、前記パラメータ部は、各印刷ジョブのデータサイズ，ページ数，データの種類の少なくともいずれかを指定するデータが設定されるものである。
【手続補正３】
【補正対象書類名】明細書
【補正対象項目名】０００９
【補正方法】変更
【補正の内容】
【０００９】
本発明に係る第４の発明は、前記制御手段は、前記ジョブ制御情報のパラメータ部中のデータの種類，ページ数，データ入力終了時間を判定し、該判定結果に基づいて前記第１の処理モードまたは前記第２の処理モードのいずれかを設定するものである。
【手続補正４】
【補正対象書類名】明細書
【補正対象項目名】００１３
【補正方法】変更
【補正の内容】
【００１３】
本発明に係る第８の発明は、前記パラメータ部は、各印刷ジョブのデータサイズ，ページ数，データの種類の少なくともいずれかを指定するデータが設定されるものである。
【手続補正５】
【補正対象書類名】明細書
【補正対象項目名】００１４
【補正方法】変更
【補正の内容】
【００１４】
本発明に係る第９の発明は、前記設定工程は、前記ジョブ制御情報のパラメータ部中のデータの種類，ページ数，データ入力終了時間を判定し、該判定結果に基づいて前記第１の処理モードまたは前記第２の処理モードのいずれかを設定するものである。
【手続補正６】
【補正対象書類名】明細書
【補正対象項目名】００１８
【補正方法】変更
【補正の内容】
【００１８】
本発明に係る第１３の発明は、前記パラメータ部は、各印刷ジョブのデータサイズ，ページ数，データの種類の少なくともいずれかを指定するデータが設定されるものである。
【手続補正７】
【補正対象書類名】明細書
【補正対象項目名】００１９
【補正方法】変更
【補正の内容】
【００１９】
本発明に係る第１４の発明は、前記設定工程は、前記ジョブ制御情報のパラメータ部中のデータの種類，ページ数，データ入力終了時間を判定し、該判定結果に基づいて前記第１の処理モードまたは前記第２の処理モードのいずれかを設定するものである。